(57)【特許請求の範囲】
【請求項１】
第１グランドに電気的に接続した第１回路を有し遊技制御を行うメイン制御基板と、第２グランドに電気的に接続されかつ前記メイン制御基板とは、同メイン制御基板から出力される信号を伝達する信号線を介して接続され前記メイン制御基板から出力される信号に基づいて動作する第２回路を有した第２基板と、
前記第１グランドおよび第２グランドに基準電位を与えるべく前記メイン制御基板と前記第２基板との間を電気的に接続した基準線とを備えるとともに、
前記第１グランドと前記基準線との間には、ノイズが前記基準線を通じて前記メイン制御基板へ侵入するのを阻止するコイルが介在されることを特徴とする遊技機。
【発明の詳細な説明】
【０００１】
【発明の属する技術分野】
本発明は遊技機に関し、基準線を通じて侵入しようとするノイズを阻止する技術に関する。
【０００２】
【従来の技術】
遊技場に設置した遊技機（例えばパチンコ機）は、各装置に電力を配電する電源基板や、遊技機全体の制御を総括するメイン制御基板、図柄等の表示を制御する表示制御基板等のように複数の基板を備えるのが通常である。各基板は、アースに電気的に接続可能なアース線を備える。
ここで、一般の遊技場ではノイズが氾濫しており、当該ノイズ（特に高周波ノイズ）が上記アース線を通じて基板に侵入すると当該基板が誤動作する可能性がある。すなわちノイズは基板上の配線間の浮遊容量や素子自体の浮遊容量等を通じて伝搬してゆき、例えばメモリ内容を変化させたりバスラインの信号を変化させる等によって当該基板を誤動作させる。このような誤動作を防止するための技術が特開平７−５１４５７号公報に開示されている。当該技術によれば、アース線と基板内のグランドとの間にインダクタンスを介在させることによってノイズの侵入を阻止している。
【０００３】
【発明が解決しようとする課題】
ところで、基板間では信号を伝達して作動させるために基準電位（例えば０ボルト）を与える必要があり、基板間を電気的に接続した基準線を備える。そのためアース線を通じて基板に侵入するノイズを阻止できたとしても、ノイズが基準線を通じて基板に侵入すると当該基板上に形成した回路が誤動作する可能性がある。また、基準線やアース線等を問わず基板にノイズが侵入した場合には、回路の動作を安定させるために当該回路を保護する必要がある。
本発明はこのような点に鑑みてなしたものであり、基板上の回路をノイズから保護し、当該回路の動作を安定させ得る遊技機を提供するのが目的である。
【０００４】
【課題を解決するための手段１】
課題を解決するための手段１は、請求項１に記載した通りである。
ここで、請求項１に記載した用語については以下のように解釈する。当該解釈は他の請求項および発明の詳細な説明についても同様である。
（１）「第１回路」および「第２回路」は基板上に形成可能な任意の回路を意味し、少なくとも一つの素子によって構成する。例えば、ＣＰＵ回路，リセット回路，発振回路，インタフェース回路等が該当する。
（２）「第１基板」および「第２基板」は、いずれも電源基板，メイン制御基板，表示制御基板，音制御基板，枠制御基板，中継基板等のように遊技機内に設置可能な全ての基板が該当する。
（３）「ノイズ阻止手段」はノイズの侵入を阻止可能な全ての素子や回路を意味し、例えばコイル，抵抗器等が該当する。
【０００５】
当該手段１によれば図１に模式的に示すように、第１グランドＧ１に電気的に接続した第１回路１ａを有し遊技制御を行うメイン制御基板１と、第２グランドＧ２に電気的に接続されかつ前記メイン制御基板１とは、同メイン制御基板１から出力される信号を伝達する信号線を介して接続され前記メイン制御基板から出力される信号に基づいて動作する第２回路２ａを有した第２基板２と、前記第１グランドＧ１および第２グランドＧ２に基準電位を与えるべく前記メイン制御基板１と前記第２基板２との間を電気的に接続した基準線３とを備えるとともに、前記第１グランドＧ１と前記基準線３との間には、ノイズが前記基準線３を通じて前記メイン制御基板へ侵入するのを阻止するコイルが介在されている。
当該コイルを介在させることによって、基準線を通じてメイン制御基板１に侵入しようとするノイズＮを阻止できる。したがってメイン制御基板１上に形成した第１回路１ａや第２基板２上に形成した第２回路２ａの動作を安定させることができる。
第２基板はメイン制御基板からの信号に基づいて動作が制御される。一方、第２回路２ａがノイズＮによって一時的に誤動作しても、その後に第１回路１ａから受けた信号によって元通り正常に動作する。よって第１回路１ａに侵入しようとするノイズＮをノイズ阻止手段１ｂが阻止するので、第１回路１ａおよび第２回路２ａの双方について動作を安定させることができる。
【００１１】
【発明の実施の形態】
以下、本発明における実施の形態を図面に基づいて説明する。
〔実施の形態１〕
実施の形態１は遊技機の一つであるパチンコ機に本発明を適用したものであって、基板間を接続した基準線から侵入しようとするノイズを阻止する例である。本実施の形態１は図３，図４を参照しながら説明する。
なお、パチンコ機の正面側（遊技者が遊技する側）は本発明の要旨と直接は関係しないので図示および説明を省略する。また、単に「接続」という場合には、電気的な接続を意味する。さらに、単に「基板」という場合には、パチンコ機に備えた少なくとも一つの基板を意味する。そして、基準電位は例えば０ボルトとするが、任意の電位であってもよい。
【００１２】
背面側におけるパチンコ機１０の概略構成について、図３を参照しながら説明する。ベース枠の背面側に組み付けた支持枠体１４は、遊技盤を取付可能に構成する。当該遊技盤を支持枠体１４に取り付けた状態で当該遊技盤の背面側から裏セット部材１９を装着し、裏セット部材１９を複数個の締付具１２で締め付けて遊技盤を固定する。当該裏セット部材１９はベース枠に対して開閉可能に構成し、裏カバー１７，球タンク４２，誘導樋４０，発射制御装置２５等を備える。よって、遊技盤は裏セット部材１９を開閉することで着脱や交換等ができる。
【００１３】
裏カバー１７は、羽根，回転体，キャラクタ等の可動体を備えた役物装置（センター役物）や、液晶表示器等に図柄等の表示を制御する表示制御基板１５等を背面側からカバーする。さらに裏カバー１７の背面側には、パチンコ機１０のほぼ全体を制御するメイン制御基板１８や、装飾用ランプ等の点灯・点滅を制御するランプ制御基板１６、スピーカから出す音を制御する音制御基板３０等を備える。配送されてきたパチンコ球は球タンク４２に一時的に貯留した後、誘導樋４０を経て払出装置２８に送り出す。当該払出装置２８は上記メイン制御基板１８から伝達された払出指令を受けて、所要個数のパチンコ球を正面側に備えた上皿や下皿に払い出す。発射制御装置２５が発射モータ２２の作動を制御して発射部材２０を往復運動させることにより、上皿から供給されたパチンコ球を遊技盤の遊技領域内に打ち出す。発射部材２０によってパチンコ球を発射する強度は、強度調整機構２４によって調整可能である。発射モータ２２，発射部材２０，強度調整機構２４はベース枠に備える。発射モータ２２には例えばサーボモータを用いるが、パルスモータ等のような他種のモータを用いてもよい。払出装置２８の正面側（図３では図面裏側）には、メイン制御基板１８から伝達された信号を受けて払出装置２８等の作動を制御する枠制御基板２７を備える。
その他、電源コード３２から供給された電力を各装置に分配するべく配電盤３６内に備えた電源基板３４と、ランプ制御基板１６と音制御基板３０との間に備えた接続基板３８と、払出装置２８の下方に備えた接続基板２６とを有する。
【００１４】
上述のように構成したパチンコ機１０において、三つの基板（例えばメイン制御基板１８，表示制御基板１５，音制御基板３０）と一つの装置（例えば発射モータ２２）を図４に模式的に示すように接続する。
メイン制御基板１８と表示制御基板１５との間では、図柄等の表示を制御する表示制御信号をメイン制御基板１８から表示制御基板１５に伝達するための信号線７０と、当該メイン制御基板１８と表示制御基板１５とに基準電位を与えるグランド線７２とをコネクタ５４，９０を用いて接続する。信号線７０とグランド線７２はノイズＮが信号線７０に入るのを防止するため、信号線７０をグランド線７２でシールドするシールド構造になっている。
メイン制御基板１８と音制御基板３０との間では、スピーカから出す音を制御する音制御信号をメイン制御基板１８から音制御基板３０に伝達するための信号線７４と、当該メイン制御基板１８と音制御基板３０とに基準電位を与えるグランド線７６とをコネクタ６０，１００を用いて接続する。信号線７４およびグランド線７６は上述した信号線７０およびグランド線７２と同様にシールド構造になっている。
メイン制御基板１８と発射モータ２２との間では、モータの回転を制御する回転制御信号をメイン制御基板１８から発射モータ２２に伝達するための信号線７８と、当該メイン制御基板１８と発射モータ２２とに基準電位を与えるグランド線８０とをコネクタ６６を用いて接続する。信号線７８およびグランド線８０は上述した信号線７０およびグランド線７２と同様にシールド構造になっている。
【００１５】
メイン制御基板１８では、ＣＰＵを中心に構成したＣＰＵ回路５０と、ＣＰＵをリセットするためのリセット信号を生成するリセット回路５６と、ＣＰＵ等を作動させるための基本クロックを生成する発振回路６２とを共通するグランドＧ１０にそれぞれ接続する。ＣＰＵ回路５０は、並列に接続したインタフェース回路５２，５８，６４（図４では「Ｉ／Ｆ回路」と図示する。）を介してそれぞれ表示制御基板１５，音制御基板３０，発射モータ２２に所要の信号を伝達する。インタフェース回路５２はグランドＧ１２に接続するとともに、当該グランドＧ１２とグランド線７２との間にはコイルＬ２（インダクタンス）を介在させて接続する。インタフェース回路５８はグランドＧ１４に接続するとともに、当該グランドＧ１４とグランド線７６との間にはコイルＬ４を介在させて接続する。インタフェース回路６４はグランドＧ１６に接続するとともに、当該グランドＧ１６とグランド線８０との間にはコイルＬ６を介在させて接続する。グランドＧ１０，Ｇ１２，Ｇ１４，Ｇ１６は二つ以上を任意に組み合わせて共通のグランドとしてもよく、個別のグランドとしてもよい。
【００１６】
表示制御基板１５では、メイン制御基板１８が信号線７０を通じて伝達する表示制御信号を受けるインタフェース回路９２と、当該表示制御信号に基づいて液晶表示器等に図柄等の表示制御を行うＣＰＵ回路９４とをグランドＧ２０にそれぞれ接続する。音制御基板３０では、メイン制御基板１８が信号線７０を通じて伝達する音制御信号を受けるインタフェース回路１０２と、当該音制御信号に基づいてスピーカへの出力制御を行うＣＰＵ回路１０４とをグランドＧ３０にそれぞれ接続する。こうして基板間で基準電位を確保できるので、当該基準電位から相対的な電位（例えば５ボルト）で信号をメイン制御基板１８から信号線７０，７４，７８を介してそれぞれ表示制御基板１５，音制御基板３０，発射モータ２２に伝達することができる。
【００１７】
上述した接続形態によれば、メイン制御基板１８（第１基板１）ではインタフェース回路５２（第１回路１ａ）を接続したグランドＧ１２（第１グランドＧ１）とグランド線７２（基準線３）との間に、コイルＬ２（ノイズ阻止手段１ｂ）を介在させた。当該コイルＬ２は通過する信号の周波数が高くなるにつれてインピーダンスが高くなる性質があるため、ローパスフィルタとして作用する。よってグランド線７２を通じてメイン制御基板１８に侵入しようとするノイズＮ（特に高周波成分）をコイルＬ２によって阻止することができるので、メイン制御基板１８上に形成したインタフェース回路５２等の動作を安定させることができる。またコイルＬ２に含まれる抵抗成分によってノイズＮ（電流）の大きさを低減させるので、インタフェース回路５２等の動作をより安定させることができる。この効果は、インタフェース回路５８（第１回路１ａ）を接続したグランドＧ１４（第１グランドＧ１）とグランド線７６（基準線３）との間に介在させたコイルＬ４（ノイズ阻止手段１ｂ）や、インタフェース回路６４（第１回路１ａ）を接続したグランドＧ１６（第１グランドＧ１）とグランド線８０（基準線３）との間に介在させたコイルＬ６（ノイズ阻止手段１ｂ）についても同様である。特にコイルＬ６は発射モータ２２で発生してグランド線８０を通じて侵入しようとするノイズも阻止することができる。
【００１８】
一方、ＣＰＵ回路９４（第２回路２ａ）はＣＰＵ回路５０からインタフェース回路５２，信号線７０，インタフェース回路９２を通じて受けた表示制御信号に基づいて動作し、しかも当該表示制御信号は所要の周期（例えば４ミリ秒ごと）に受ける。グランドＧ２０とグランド線７２とをコイルなしで接続した表示制御基板１５はグランド線７２を通じて侵入したノイズＮによって誤動作し得るが、この場合でもＣＰＵ回路５０から次の信号を受けると正常に動作するようになる。このようにメイン制御基板１８にのみコイルＬ２を備えた場合であっても、メイン制御基板１８および表示制御基板１５の双方に形成した各回路を保護して動作を安定させることができる。この効果は、同様に構成したメイン制御基板１８と音制御基板３０との間やメイン制御基板１８と発射モータ２２との間等のように、任意の基板間についても同様に得ることができる。
なお、コイルや抵抗器等の素子や回路をノイズ阻止手段１ｂ，２ｂとして用いた場合にはノイズＮの阻止効果とともに、突入（ピーク）時の電流値を低く抑えることもできる。また、抵抗器には巻線型の抵抗器を用いるのがよく、さらに巻線のギャップを封止したタイプの抵抗器を用いるのが望ましい。巻線型の抵抗器等を用いると、突入時などで当該抵抗器から放電するのを防止できる。
【００１９】
また、以下に示すような応用（変形）を行うこともできる。
（１）メイン制御基板１８側のインピーダンスが表示制御基板１５側のインピーダンスよりも低い場合には、グランド線７２を通じて侵入しようとするノイズＮは電流となってインピーダンスの低いほうのメイン制御基板１８に流れようとする。この場合にはグランド線７２とグランドＧ１２との間にのみコイルＬ２を介在させると、ノイズＮの侵入を阻止することができる。したがって、メイン制御基板１８上に形成したインタフェース回路５２等の動作を安定させることができる。このことは、グランド線７６とグランドＧ１４との間や、グランド線８０とグランドＧ１６との間についても同様である。
（２）コイルに代えて、抵抗器等のようにノイズＮの侵入を阻止可能な他の素子や回路（望ましくは低周波ノイズも阻止可能なもの）を適用してもよい。またグランド線７２，７６，８０はそれぞれ信号線７０，７４，７８をシールドする構造でなくても適用できる。これらの場合でも、各基板上に形成した各回路の動作を安定させることができる。
（３）メイン制御基板１８と表示制御基板１５との間，メイン制御基板１８と音制御基板３０との間，メイン制御基板１８と発射モータ２２との間に限らず、二つ以上の任意数で基準線３を用いて接続可能な任意の基板（基板以外では端子板や装置等であってもよい）相互間についても同様に適用することができる。例えばランプ制御基板１６，発射制御装置２５，枠制御基板２７，払出装置２８，接続基板２６，３８や中継基板、パチンコ機１０に備えた他の装置などが該当する。この場合であっても、上記実施の形態１と同様の効果を得ることができる。
【００２０】
〔実施の形態２〕
実施の形態２は実施の形態１と同様にパチンコ機１０に本発明を適用したものであって、基板間を接続した基準線から侵入しようとするノイズを低減させる例である。本実施の形態２は図５を参照しながら説明する。
なお、パチンコ機１０の構成等は実施の形態１と同様であるので、図示および説明を簡単にするために実施の形態２では実施の形態１と異なる点について説明する。よって図５において実施の形態１に示す要素と同一の要素には同一の符号を付して説明を省略する。
【００２１】
図５に示す接続形態が図４に示す接続形態と異なるのは、次の点である。すなわちメイン制御基板１８では、インタフェース回路５２に接続したグランドＧ１２とグランド線７２との間にインピーダンスＺ２を介在させて接続し、インタフェース回路５８に接続したグランドＧ１４とグランド線７６との間にインピーダンスＺ４を介在させて接続し、インタフェース回路６４に接続したグランドＧ１６とグランド線８０との間にインピーダンスＺ６を介在させて接続する。
また、表示制御基板１５ではインタフェース回路９２やＣＰＵ回路９４に接続したグランドＧ２０とグランド線７２との間にインピーダンスＺ８を介在させて接続し、音制御基板３０ではインタフェース回路１０２やＣＰＵ回路１０４に接続したグランドＧ３０とグランド線７６との間にインピーダンスＺ１０を介在させて接続する。
インピーダンスＺ２，Ｚ８はメイン制御基板１８側のインピーダンスと表示制御基板１５側のインピーダンスとをマッチングさせるためのものである。インピーダンスＺ４，Ｚ１０はメイン制御基板１８側のインピーダンスと音制御基板３０側のインピーダンスとをマッチングさせるためのものである。インピーダンスＺ６はメイン制御基板１８側のインピーダンスと発射モータ２２側のインピーダンスとをマッチングさせるためのものである。これらのインピーダンスＺ２，Ｚ４，Ｚ６，Ｚ８，Ｚ１０は、各基板や各装置側のインピーダンスの大きさによっては少なくとも一つが不要となる場合もある。
【００２２】
上述した接続形態によれば、グランド線７２，７６，８０（基準線３）を通じて侵入しようとするノイズＮは、電流となってインピーダンスの低いほうの基板に流れようとする。ところが、インピーダンスＺ２，Ｚ４，Ｚ６，Ｚ８，Ｚ１０（インピーダンスマッチング手段としてのノイズ阻止手段１ｂ，２ｂ）によって基板間のインピーダンスがほぼ平衡になるため、両基板に侵入しようとするノイズＮ（電流）の大きさがほぼ半減する。各基板上に形成した回路が従来では誤動作し得たノイズＮの大きさであってもほぼ半減すると誤作動しなくなる場合があるので、当該回路の動作を従来よりも安定させることができる。
【００２３】
〔実施の形態３〕
実施の形態３もまた実施の形態１と同様にパチンコ機１０に本発明を適用したものであって、基板間を接続した基準線から侵入しようとするノイズを阻止する例である。本実施の形態３は図６を参照しながら説明する。
なお、パチンコ機１０の構成等は実施の形態１と同様であるので、図示および説明を簡単にするために実施の形態３では実施の形態１と異なる点について説明する。よって図６において実施の形態１に示す要素と同一の要素には同一の符号を付して説明を省略する。また、図示を簡単にして理解を容易にするため、図６では図４等に示す音制御基板３０，発射モータ２２および各基板上に形成する回路については図示を省略してグランド線のみの接続状態を示す。
【００２４】
図６に示す接続形態が図４に示す接続形態と異なるのは、電源基板３４が加わる点である。すなわちメイン制御基板１８および表示制御基板１５は電源基板３４から供給される電力を受けて動作するが、これらの基板に基準電位を与えるグランド線１１４をコネクタ１１０，１１２，１１６を用いて接続する。
電源基板３４内ではグランドＧ４０とグランド線１１４とをコネクタ１１０を介して直接に接続する。グランド線１１４はバス形式で接続し、分岐点Ｔ２からコネクタ１１２を介してメイン制御基板１８内のグランドＧ１２に接続し、分岐点Ｔ４からコネクタ１１６を介して表示制御基板１５内のグランドＧ２０に接続する。なお、バス形式に代えてスター形式やリング形式等によってグランド線１１４を各基板内のグランドに接続してもよい。
【００２５】
上述した接続形態によれば、グランド線７２，１１４（基準線３）に入ったノイズＮは、図示する矢印Ｄ（図６では右回り；グランド線１１４→表示制御基板１５内のグランドＧ２０→グランド線７２→メイン制御基板１８内のグランドＧ１２→グランド線１１４）のようにループを巡回し得るか、あるいは当該矢印Ｄとは逆方向（左回り）にループを巡回し得る。当該ループをノイズＮが巡回する間には他のノイズＮがさらに入ることもあり、この場合にはループを巡回するノイズＮが増幅する可能性がある。もしノイズＮが増幅してゆくとループ途中の基板（本例ではメイン制御基板１８と表示制御基板１５）上に形成した各回路が誤動作する可能性が高まる。
しかしグランド線７２とグランドＧ１２との間にコイルＬ２を介在させて接続したので、ノイズＮはメイン制御基板１８に侵入できず、当該ノイズＮがループを巡回することを防止できる。よって、基板（本例ではメイン制御基板１８と表示制御基板１５）間で接続するグランド線７２以外のグランド線１１４等から入ったノイズＮによって基板上に形成した回路が誤動作するのを防止することができる。よって三つ以上の基板の動作をより安定させることができる。なおグランド線１１４等から入ったノイズＮの侵入をより確実に防止するには、メイン制御基板１８ではグランド線１１４（コネクタ１１２）とグランドＧ１２との間にコイルＬａを介在させたり、表示制御基板１５ではグランド線１１４（コネクタ１１６）とグランドＧ２０との間にコイルＬｂを介在させるのが望ましい。
このことは電源基板３４，メイン制御基板１８，表示制御基板１５の組み合わせに限らず、ループを形成し得る接続形態が可能な全ての基板や装置等の組み合わせについても同様に適用することができ、同様を効果を得ることができる。
【００２６】
〔実施の形態４〕
実施の形態４は実施の形態１と同様にパチンコ機１０に本発明を適用したものであって、基板上に形成した回路侵入しようとするノイズを阻止する例である。本実施の形態４は図７を参照しながら説明する。
なお、パチンコ機１０の構成等は実施の形態１と同様であるので、図示および説明を簡単にするために実施の形態４では実施の形態１と異なる点について説明する。よって図７において実施の形態１に示す要素と同一の要素には同一の符号を付して説明を省略する。
【００２７】
図７に示す接続形態が図４に示す接続形態と異なるのは、メイン制御基板１８内の接続である。すなわち、まずＣＰＵ回路５０とグランドＧ１０との間にコイルＬ８を介在させて接続し、リセット回路５６とグランドＧ１０との間にコイルＬ１０を介在させて接続し、発振回路６２とグランドＧ１０との間にコイルＬ１２を介在させて接続する。また、グランド線７２と接続したグランドＧ１２とインタフェース回路５２との間にコイルＬ１４を介在させて接続し、グランド線７６と接続したグランドＧ１４とインタフェース回路５８との間にコイルＬ１６を介在させて接続し、グランド線８０と接続したグランドＧ１６とインタフェース回路６４との間にコイルＬ１８を介在させて接続する。
【００２８】
上述した接続形態によれば、メイン制御基板１８（基板４）ではグランド線７２（基準線３）を接続したグランドＧ１２（グランドＧ３）とインタフェース回路５２（回路４ａ）との間に、コイルＬ１４（ノイズ阻止手段４ｂ）を介在させた。グランド線７２を通じてメイン制御基板１８に侵入したノイズＮであってもコイルＬ１４によってインタフェース回路５２に侵入するのを阻止することができる。したがって、インタフェース回路５２の動作を安定させることができる。この効果は、グランド線７６（基準線３）を接続したグランドＧ１４（グランドＧ３）とインタフェース回路５８（回路４ａ）との間に介在させたコイルＬ１６（ノイズ阻止手段４ｂ）や、グランド線８０（基準線３）を接続したグランドＧ１６（グランドＧ３）とインタフェース回路６４（回路４ａ）との間に介在させたコイルＬ１８（ノイズ阻止手段４ｂ）についても同様である。
またグランドＧ１２，Ｇ１４，Ｇ１６の少なくとも一つとグランドＧ１０とを接続した場合には、グランドＧ１２，Ｇ１４，Ｇ１６からグランドＧ１０に入ったノイズＮがＣＰＵ回路５０，リセット回路５６，発振回路６２に侵入するのをそれぞれコイルＬ８，Ｌ１０，Ｌ１２（ノイズ阻止手段４ｂ）に侵入するのを阻止することができる。したがって、各回路の動作を安定させることができる。
なお、図示しないがグランド線７２，７６，８０をアースに接続した場合でも上述した効果を得ることができる。
【００２９】
さらに例えばメイン制御基板１８（第１基板５）と表示制御基板１５（第２基板６）との間については、グランドＧ１２（第１グランドＧ５）とインタフェース回路５２（第１回路５ａ）との間に、コイルＬ１４（ノイズ阻止手段５ｂ）を介在させた。そのため、グランド線７２（基準線３）を通じてグランドＧ１２に入ったノイズＮであっても、コイルＬ１４によってインタフェース回路５２に侵入しようとするのを阻止できる。したがって、インタフェース回路５２の動作を安定させることができる。このことは、メイン制御基板１８と音制御基板３０との間やメイン制御基板１８と発射モータ２２との間等のように、任意の基板や装置の相互間についても同様である。
【００３０】
〔他の実施の形態〕
上述したパチンコ機１０（遊技機）において、他の部分の構造，形状，大きさ，材質，配置および動作条件等については、上記実施の形態に限定されるものでない。例えば、上記実施の形態を応用した次の各形態を実施することもできる。
（１）上記各実施の形態では、パチンコ機１０に本発明を適用した。この形態に代えて、パチンコ機以外の他の遊技機（例えばスロットマシン，アレンジボール機，雀球遊技機，テレビゲーム機等）であって第１基板１，第２基板２および基準線３を備えたものにも同様に本発明を適用することができる。当該他の遊技機であっても基準線３を通じて侵入しようとするノイズＮをノイズ阻止手段が阻止するので、各基板上に形成した第１回路１ａや第２回路２ａの動作を安定させることができる。
【００３１】
（２）上記各実施の形態では、メイン制御基板１８（第１基板１）にのみノイズ阻止手段１ｂを備えた｛図４等を参照｝。この形態に代えて（あるいは加えて）、必要に応じて表示制御基板１５等（第２基板２）にノイズ阻止手段２ｂを備えてもよい。例えば図８に示すように、表示制御基板１５内のグランドＧ２０（第２グランドＧ２）とグランド線７２との間にコイルＬ２０を介在させて接続する。こうすればグランド線７２を通じて侵入しようとするノイズＮをコイルＬ２０によって阻止できるので、表示制御基板１５上に形成したインタフェース回路９２やＣＰＵ回路９４等の動作を安定させることができる。このことは音制御基板３０等についても同様に構成すれば、同様の効果が得られる。
また図８に示すように、グランド線７６と接続したグランドＧ３０と、インタフェース回路１０２やＣＰＵ回路１０４等の各回路で共通に接続する共通接続線１０６との間にコイルＬ３０を介在させて接続してもよい。こうすればグランドＧ３０に入ったノイズＮであっても各回路に侵入しようとするノイズＮを阻止することができるので、当該各回路の動作を安定させることができる。このことは表示制御基板１５等についても同様に構成すれば、同様の効果が得られる。
なおコイルＬ２０（ノイズ阻止手段２ｂ）を介在させても、メイン制御基板１８側のインピーダンスが表示制御基板１５側のインピーダンスよりも高い場合には、ノイズＮの阻止効果とともに、突入時の電流値を低く抑えることもできる。
【００３２】
（３）上記各実施の形態では、複数の基板間を接続する基準線３（グランド線７２等）を通じて侵入しようとするノイズＮをノイズ阻止手段１ｂ，２ｂ（コイルＬ２等）で阻止した｛図４等を参照｝。この形態に加えて、基準線３等から入ったノイズＮをアースに積極的に逃がす構成としてもよい。例えば図８に示すように、グランド線７２をアースＧ２２に接続する。グランド線７２から入ってコイルＬ２，Ｌ２０によって行き場を失ったノイズＮ（電流）は、グランド線７２からアースＧ２２に逃げ得る。よって、基板（本例ではメイン制御基板１８と表示制御基板１５）上に形成した各回路の動作をより安定させることができる。なお、アースＧ２２に逃がす態様に代えて（あるいは加えて）、電流を放電可能な放電部材によってノイズＮを放電させる構成としても同様の効果が得られる。
【００３３】
（４）上記各実施の形態では、二つの基板を接続する態様について本発明を適用した｛図４等を参照｝。この形態に代えて（あるいは加えて）、三つ以上の基板を直列的に接続する態様についても同様に本発明を適用することができる。例えば図９はメイン制御基板１８，枠制御基板２７，払出装置２８を順に直列的に接続した例である。図９の例では、メイン制御基板１８と枠制御基板２７との間は信号線１３０およびグランド線１３２をコネクタ１２０，１２２を用いて接続し、枠制御基板２７と払出装置２８との間は信号線１３６およびグランド線１３８をコネクタ１２４，１２６を用いて接続する。メイン制御基板１８内では、グランド線１３２とグランドＧ４０との間にコイルＬ４０を介在させて接続する。枠制御基板２７内では、グランド線１３２とグランド線１３８とを連結線１３４で接続し、さらに当該連結線１３４をグランドＧ１８に接続する。払出装置２８内では、グランド線１３８をグランドＧ６０に接続する。この接続形態によれば、グランド線１３２，１３８から入ったノイズＮや払出装置２８内で発生したノイズがグランド線１３８，連結線１３４，グランド線１３２を通じてメイン制御基板１８に侵入しようとしてもコイルＬ４０によって阻止できる。一方、枠制御基板２７および払出装置２８はノイズＮによって誤動作し得るが、所要の周期でメイン制御基板１８から信号線１３０，１３６を通じて受ける信号によってすぐに正常に動作する。よってメイン制御基板１８，枠制御基板２７および払出装置２８に形成したそれぞれの回路について動作を安定させることができる。なお、連結線１３４はノイズＮの通り道になるので、誤動作をより確実に防止するために当該連結線１３４の近傍には回路や素子を配置しないのが望ましい。
【００３４】
（５）上記各実施の形態では、基板間を接続するグランド線７２，７６，８０を基準線３として適用した｛図４等を参照｝。この形態に代えて（あるいは加えて）、信号伝達を行うための信号線７０，７４，７８やノイズＮが入り得る部材（例えばネジやビス、基板や装置等をシールドするシールド部材等）を基準線３として適用できる。この場合でも信号線等を通じて入ったノイズＮを阻止することができるので、基板上に形成した回路の動作を安定させることができる。
【００３５】
（６）上記各実施の形態では、メイン制御基板１８に接続する装置として発射モータ２２を適用した｛図４等を参照｝。この形態に代えて（あるいは加えて）、メイン制御基板１８等のような任意の基板に接続可能であって、所定領域（例えばゲート，入賞口，入賞装置，役物装置等）に入ったり通過するパチンコ球を振り分ける振分部材を作動させるための駆動手段（例えばモータやソレノイド等）についても同様に適用することができる。この場合であっても、当該任意の基板上に形成した各回路の動作を安定させることができる。
【００３６】
【他の発明の態様】
以上、本発明の実施の形態について説明したが、この実施の形態には特許請求の範囲に記載した発明の態様のみならず他の発明の態様を有するものである。この発明の態様を以下に列挙するとともに、必要に応じて関連説明を行う。
〔態様１〕  請求項１から５のいずれか一項に記載した遊技機において、
基準線をアースに電気的に接続した遊技機。
〔態様１の関連説明〕  本態様によれば、図８で示す例においてグランド線７２（基準線３）を通じて侵入したノイズＮをアースＧ２２に逃がすことができるので、基板上に形成した回路の動作を安定させることができる。
【００３７】
〔態様２〕  第１グランドと第１回路とを有する第１基板と、第２グランドと第２回路とを有する第２基板と、前記第１グランドおよび前記第２グランドに基準電位を与えるべく前記第１基板と前記第２基板との間を電気的に接続した基準線とを備えた遊技機において、
前記第１グランドと前記第１回路との間および前記第２グランドと前記第２回路との間のうち少なくとも一方に、ノイズの侵入を阻止するノイズ阻止手段を介在させた遊技機。
〔態様２の関連説明〕  本態様によれば図１０に模式的に示すように、第１グランドＧ５と第１回路５ａとの間および第２グランドＧ６と第２回路６ａとの間のうち少なくとも一方にノイズ阻止手段５ｂ，６ｂを介在させる。こうすれば基準線３を通じて第１グランドＧ５や第２グランドＧ６に入ったノイズＮであっても、ノイズ阻止手段５ｂ，６ｂによってそれぞれ第１回路５ａ，第２回路６ａに侵入しようとするのを阻止できる。したがって、第１回路５ａや第２回路６ａの動作を安定させることができる。
【００３８】
〔その他の態様〕  上記態様２について、請求項２，３，４に記載した構成と同様の構成をする。
〔その他の態様の関連説明〕  本態様によれば、課題を解決するための手段２，３，４に記載したと同様の作用効果を得ることができる。すなわち第１回路５ａ，第２回路６ａに侵入しようとするノイズＮをノイズ阻止手段５ｂ，６ｂが阻止するので、第１回路５ａや第２回路６ａの動作を安定させることができる。
【００３９】
【発明の効果】
本発明によれば、基準線を通じて侵入しようとするノイズをノイズ阻止手段が阻止するので、基板上の回路をノイズから保護し、当該回路の動作を安定させることができる。
【図面の簡単な説明】
【図１】本発明の第１概念を示す模式図である。
【図２】本発明の第２概念を示す模式図である。
【図３】パチンコ機の外観を示す背面図である。
【図４】ノイズの侵入を阻止可能な第１の接続例を示す図である。
【図５】ノイズの侵入を阻止可能な第２の接続例を示す図である。
【図６】ノイズの侵入を阻止可能な第３の接続例を示す図である。
【図７】ノイズの侵入を阻止可能な第４の接続例を示す図である。
【図８】ノイズの侵入を阻止可能な第５の接続例を示す図である。
【図９】ノイズの侵入を阻止可能な第６の接続例を示す図である。
【図１０】本発明の第３概念を示す模式図である。
【符号の説明】
１，５  第１基板
１ａ，５ａ  第１回路
１ｂ，２ｂ，４ｂ，５ｂ，６ｂ  ノイズ阻止手段
２，６  第２基板
２ａ，６ａ  第２回路
３  基準線
４  基板
４ａ  回路
Ｇ１  第１グランド
Ｇ２  第２グランド
Ｇ３  グランド
Ｇ４  アース
Ｎ  ノイズ
１０  パチンコ機（遊技機）
１５  表示制御基板（基板）
１６  ランプ制御基板（基板）
１８  メイン制御基板（基板）
２５  発射制御装置（基板）
２６  接続基板（基板）
２７  枠制御基板（基板）
２８  払出装置（基板）
３０  音制御基板（基板）
３４  電源基板（基板）
３６  配電盤（基板）
３８  接続基板（基板）
５０  ＣＰＵ回路（第１回路）
９４，１０４  ＣＰＵ回路（第２回路）
５６  リセット回路（第１回路）
６２  発振回路（第１回路）
５２，５８，６４  インタフェース回路（第１回路）
９２，１０２  インタフェース回路（第２回路）
７０，７４，７８  信号線
７２，７６，８０  グランド線（基準線）
Ｇ１０，Ｇ１２，Ｇ１４，Ｇ１６，Ｇ１８，Ｇ２０  グランド
Ｇ２２  アース
Ｌ２，Ｌ４，Ｌ６，Ｌ８，Ｌ１０，Ｌ１２，Ｌ１４，Ｌ１６，Ｌ１８，Ｌ２０，Ｌ３０，Ｌ４０  コイル（ノイズ阻止手段）
Ｚ２，Ｚ４，Ｚ６，Ｚ８，Ｚ１０  インピーダンス（ノイズ阻止手段）
【図１】
0004433114.tif 000002
【図２】
0004433114.tif 000003
【図３】
0004433114.tif 000004
【図４】
0004433114.tif 000005
【図５】
0004433114.tif 000006
【図６】
0004433114.tif 000007
【図７】
0004433114.tif 000008
【図８】
0004433114.tif 000009
【図９】
0004433114.tif 000010
【図１０】
0004433114.tif 000011